(57)【要約】【課題】本発明は除湿装置に関するものであり、洗濯後の衣類の乾燥速度をさらなる向上を図ることを目的とするものである。【解決手段】風向変更手段１２は、一方側を回転中心とし、他方側が回動し、一方側と他方側の間に開口部１８を有する板形状のルーバ部１３と、その一方側がルーバ部１３の開口部１８と同等、もしくはこの開口部１８よりもルーバ部１３の一方側に配置され、他方側がルーバ部１３の下方において開口部１８よりもルーバ部１３の他方側に配置された第１の風向板部１４と、その一方側が第１の風向板部１４の他方側と同等、もしくは第１の風向板部１４の他方側よりもルーバ部１３の他方側に配置され、他方側がルーバ部１３の他方側に延長された第２の風向板部１５とを有し、ルーバ部１３と第１の風向板部１４は、第１の距離を持って対向し、ルーバ部１３と第２の風向板部１５は、第１の距離１４ａよりも大きな第２の距離１５ａを持って対向する。【選択図】図２
2014144414.tif 000002
【特許請求の範囲】
【請求項１】
上部に送風口を有する本体ケースと、この本体ケース内に設けられた除湿手段および送風手段と、前記送風口に設けた風向変更手段とを備え、前記風向変更手段は、一方側を回転中心とし、他方側が上下に回動し、かつ前記一方側と他方側の間に開口部を有する板形状のルーバ部と、前記ルーバ部に一体化されると共に、その一方側が前記ルーバ部の前記開口部と同等、もしくはこの開口部よりも前記ルーバ部の一方側に配置され、他方側が前記ルーバ部の下方において前記開口部よりも前記ルーバ部の他方側に配置された第１の風向板部と、前記ルーバ部に一体化されると共に、その一方側が前記第１の風向板部の他方側と同等、もしくは前記第１の風向板部の他方側よりも前記ルーバ部の他方側に配置され、他方側が前記ルーバ部の他方側に延長された第２の風向板部とを有し、前記ルーバ部と前記第１の風向板部は、第１の距離を持って対向し、前記ルーバ部と前記第２の風向板部は、前記第１の距離よりも大きな第２の距離を持って対向した構成とした除湿装置。
【請求項２】
前記第１の距離は、前記第２の距離と前記第１の距離との差より大きいことを特徴とする請求項１に記載の除湿装置。
【請求項３】
前記ルーバ部の一方側から他方側への方向における前記開口部の距離は、前記第１の距離より大きいことを特徴とする請求項１または２に記載の除湿装置。
【請求項４】
前記第２の風向板部の他方側端部は、前記ルーバ部の他方側端部より一方側に位置することを特徴とする請求項１から３のいずれかに記載の除湿装置。
【請求項５】
前記開口部よりも前記ルーバ部の一方側に配置される前記第１の風向板部は、前記ルーバ部と同一面上に位置することを特徴とする請求項１から４のいずれかに記載の除湿装置。
【請求項６】
前記ルーバ部は、前記第１の風向板部に対向した第１のルーバ部と、前記第２の風向板部に対向した第２のルーバ部とからなり、この第２のルーバ部と前記第２の風向板部とが一体に形成されると共に、前記第１の風向板部に回動自在に設けられたことを特徴とする請求項１から５のいずれかに記載の除湿装置。
【発明の詳細な説明】
【技術分野】
【０００１】
本発明は、例えば衣類乾燥用として用いられる除湿装置に関するものである。
【背景技術】
【０００２】
従来、この種の除湿装置は、上部に送風口を有する本体ケースと、この本体ケース内に設けられた除湿手段および送風手段と、前記送風口に設けた風向変更手段とを備えたものであった。本体ケース内に除湿手段を設けた除湿装置は、除湿能力が高いことから、衣類の乾燥用として積極的に活用されている。
【０００３】
すなわち、室内空気を前記除湿手段で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである。（なお、これに関連する先行文献としては下記特許文献１がある）。
【先行技術文献】
【特許文献】
【０００４】
【特許文献１】特開２００６−１０２５７８号公報
【発明の概要】
【発明が解決しようとする課題】
【０００５】
上記従来例における課題は、洗濯後の衣類の乾燥速度をさらに向上するということであった。
【０００６】
すなわち、従来の物においては、室内の空気を送風手段によって本体ケース内に吸い込み、本体ケース内に設けられた除湿手段によって、室内の空気を除湿し、この除湿空気を、送風手段によって洗濯後の衣類に向けて送風するものである。ここで、洗濯後の衣類を乾燥させる場合には、送風空気の乾燥度、および送風される送風量によって乾燥速度が決まるものである。特に、衣類に向けて送風される送風量は、送風手段の送風能力を向上させることが考えられるが、送風手段の送風能力を向上させると、羽根サイズが大きくなり、結果として本体サイズも大きくなるので、送風手段の送風能力を向上させることは、本体サイズの観点から限界があった。
【０００７】
その結果として、衣類に送風される送風量を上げることができず、結論として洗濯後の衣類の乾燥速度をさらに高くすることができないものであった。
【０００８】
そこで本発明は、洗濯後の衣類の乾燥速度をさらなる向上を図ることを目的とするものである。
【課題を解決するための手段】
【０００９】
そして、この目的を達成するために、本発明は、上部に送風口を有する本体ケースと、この本体ケース内に設けられた除湿手段および送風手段と、前記送風口に設けた風向変更手段とを備え、前記風向変更手段は、一方側を回転中心とし、他方側が上下に回動し、かつ前記一方側と他方側の間に開口部を有する板形状のルーバ部と、前記ルーバ部に一体化されると共に、その一方側が前記ルーバ部の前記開口部と同等、もしくはこの開口部よりも前記ルーバ部の一方側に配置され、他方側が前記ルーバ部の下方において前記開口部よりも前記ルーバ部の他方側に配置された第１の風向板部と、前記ルーバ部に一体化されると共に、その一方側が前記第１の風向板部の他方側と同等、もしくは前記第１の風向板部の他方側よりも前記ルーバ部の他方側に配置され、他方側が前記ルーバ部の他方側に延長された第２の風向板部とを有し、前記ルーバ部と前記第１の風向板部は、第１の距離を持って対向し、前記ルーバ部と前記第２の風向板部は、前記第１の距離よりも大きな第２の距離を持って対向した構成としたものであり、これにより所期の目的を達成するものである。
【発明の効果】
【００１０】
本発明によれば、上部に送風口を有する本体ケースと、この本体ケース内に設けられた除湿手段および送風手段と、前記送風口に設けた風向変更手段とを備え、前記風向変更手段は、一方側を回転中心とし、他方側が上下に回動し、かつ前記一方側と他方側の間に開口部を有する板形状のルーバ部と、前記ルーバ部に一体化されると共に、その一方側が前記ルーバ部の前記開口部と同等、もしくはこの開口部よりも前記ルーバ部の一方側に配置され、他方側が前記ルーバ部の下方において前記開口部よりも前記ルーバ部の他方側に配置された第１の風向板部と、前記ルーバ部に一体化されると共に、その一方側が前記第１の風向板部の他方側と同等、もしくは前記第１の風向板部の他方側よりも前記ルーバ部の他方側に配置され、他方側が前記ルーバ部の他方側に延長された第２の風向板部とを有し、前記ルーバ部と前記第１の風向板部は、第１の距離を持って対向し、前記ルーバ部と前記第２の風向板部は、前記第１の距離よりも大きな第２の距離を持って対向したものであり、洗濯後の衣類の乾燥速度をさらに向上を図ることできるものである。
【００１１】
すなわち、ルーバ部と第１の風向板部は、第１の距離を持って対向し、ルーバ部と第２の風向板部は、第１の距離よりも大きな第２の距離を持って対向した構成にしたことにより、送風手段によって、本体ケースの上部送風口から送風される除湿空気の一部は、第１の風向板部の下面に当たると共に、第１の風向板部の下面に沿ってルーバ部の他方側へ流れる。ここで、この第１の風向板部の下面に沿って流れる空気の一部は、ルーバ部と第２の風向板部との間に流れると共に、第２の風向板部の上面に沿って流れる。この流れによって、ルーバ部の開口部からルーバ部と第１の風向板部との間に室内の空気が誘引され、結果として、衣類には、送風手段によって、本体ケースの上部送風口から送風される除湿空気と、この空気によって誘引される空気とが送風される。
【００１２】
これにより、衣類に送風される送風量を上げることができ、結論として洗濯後の衣類の乾燥速度をさらに高くすることができる。
【図面の簡単な説明】
【００１３】
【図１】本発明の実施の形態の除湿装置の概略断面図
【図２】同除湿装置の斜視図
【図３】同除湿装置の風向変更手段の斜視図
【図４】同除湿装置の風向変更手段の斜視図
【図５】同除湿装置の風向変更手段の断面図
【発明を実施するための形態】
【００１４】
以下本発明の一実施形態を添付図面を用いて説明する。
【００１５】
図１において、１は縦長箱状の本体ケースで、この本体ケース１の背面側には吸込口２、上面の背面側には送風口３が設けられている。
【００１６】
また本体ケース１内には、圧縮機４と、凝縮器５、蒸発器６を備えた冷凍サイクルと、除湿ロータ７からなる除湿手段が設けられている。
【００１７】
すなわち、上記先行文献にも類似する構成が記載されているので、ここでは説明を簡略化するが、本実施形態の除湿動作は以下のようになっている。先ずファン用モータ８によりファン９を駆動すると、吸込口２から室内空気が本体ケース１内に吸入され、この空気の大部分は凝縮器５で加熱され、相対湿度が低くなった状態で、送風口３から室内に送風されるようになっている。
【００１８】
また、送風手段であるファン９により本体ケース１内に吸入された空気の一部は、加熱され、相対湿度が低くなった状態で除湿ロータ７の放出部を通過し、この時この放出部からの放出湿度を伴って次に蒸発器６へと誘導され、この蒸発器６で冷却され、ここで湿気を結露させる。この結露水はドレインパン１０を介してタンク１１中に溜められる。
【００１９】
また、蒸発器６で結露しなかった湿気は除湿ロータ７の吸湿部で吸湿され、この吸湿部は除湿ロータ７の回転によりその後上記放出部となり、これにより捕らえた湿気を加熱空気に再放出させ、次に蒸発器６で冷却し、湿気を結露させて除去する。
【００２０】
そして、このような除湿動作により、乾燥した空気が生成され、この乾燥空気が上述の送風口３から本体ケース１後方の室内に送風されるようになっている。
【００２１】
したがって、この送風部分に洗濯物を干しておれば、乾燥が効率的に進むものとなるのである。
【００２２】
図２から図５に示すように、送風口３には、送風口３から送風される空気の方向を変更できる風向変更手段１２を備えている。この風向変更手段１２は、ルーバ部１３と、第１の風向板部１４と、第２の風向板部１５とから構成している。
【００２３】
ルーバ部１３は、横長四角形の板形状で、送風口３から所定の距離を有し、送風口３の上方に対向して設けられている。横長四角形のルーバ部１３は、本体ケース１における前面側、および背面側が長辺となり、本体ケース１における右側、および左側が短辺となる。
【００２４】
ルーバ部１３は、一方側、つまり本体ケース１における前面側を回転中心とし、他方側、つまり本体ケース１における背面側が上下に回動する。具体的には、ルーバ部１３は、ルーバ部１３の下面の両短辺付近から伸びた２つのルーバ支持部１３ａを有する。ルーバ支持部１３ａの本体ケース１における前面側には、外方へ伸びた２本のルーバ軸部１３ｂを備えている。このルーバ軸部１３ｂを回転自在に装着できる孔である軸受部１６が、送風口３に設けられている。本体ケース１内に設けた回転手段であるルーバ用モータ１７によって、ルーバ軸部１３ｂを介してルーバ部１３が、上下に往復回動できるものである。
【００２５】
ルーバ部１３は、一方側と他方側の間には、横長四角形の開口部１８を有する。横長四角形の開口部１８は、本体ケース１における前面側、および背面側が長辺となり、本体ケース１における右側、および左側が短辺となる。この開口部１８とルーバ部１３の他方側の長辺までの距離は、開口部１８とルーバ部１３の一方側の長辺までの距離より長いものである。
【００２６】
第１の風向板部１４は、横長四角形の板形状で、ルーバ部１３から第１の距離１４ａを有し、ルーバ部１３の下方に対向して設けられている。横長四角形の第１の風向板部１４は、本体ケース１における前面側、および背面側が長辺となり、本体ケース１における右側、および左側が短辺となる。第１の風向板部１４の一方側、つまり本体ケース１における前面側がルーバ部１３の開口部１８と同等で、第１の風向板部１４の一方側の長辺は、ルーバ部１３の開口部１８の一方側である開口縁に位置する。すなわち、第１の風向板部１４は、ルーバ部１３の開口部１８の一方側である開口縁からルーバ部１３の他方側へ伸びている。第１の風向板部１４の両短辺縁から２つの第１の風向板支持部１４ｂが、上方のルーバ部１３まで伸びている。これらの第１の風向板支持部１４ｂにより、第１の風向板部１４は、ルーバ部１３に一体化されている。第１の風向板部１４の他方側は、ルーバ部１３の下方において開口部１８よりもルーバ部１３の他方側に配置されている。なお、第１の風向板部１４の一方側は、開口部１８よりもルーバ部１３の一方側に配置されてもよい。
【００２７】
第２の風向板部１５は、横長四角形の板形状で、ルーバ部１３から第２の距離１５ａを有し、ルーバ部１３の下方に対向して設けられている。横長四角形の第２の風向板部１５は、本体ケース１における前面側、および背面側が長辺となり、本体ケース１における右側、および左側が短辺となる。この両短辺縁から上方へ伸びる第２の風向板支持部１５ｂによって第２の風向板部１５は、ルーバ部１３に一体化されている。第２の風向板部１５の一方側が、第１の風向板部１４の他方側と同等で、第２の風向板部１５の他方側がルーバ部１３の他方側に延長されている。なお、第２の風向板部１５は、第１の風向板部１４の他方側よりもルーバ部１３の他方側に配置されてもよい。
【００２８】
本実施形態における特徴点は、以上の構成において、ルーバ部１３と第１の風向板部１４は、第１の距離１４ａを持って対向し、ルーバ部１３と第２の風向板部１５は、第１の距離１４ａよりも大きな第２の距離１５ａを持って対向した点である。
【００２９】
すなわち、ルーバ部１３と第１の風向板部１４は、第１の距離１４ａを持って対向し、ルーバ部１３と第２の風向板部１５は、第１の距離１４ａよりも大きな第２の距離１５ａを持って対向した構成にしたことにより、送風手段によって、本体ケース１の上部の送風口３から送風される除湿空気の一部は、第１の風向板部１４の下面に当たると共に、第１の風向板部１４の下面に沿ってルーバ部１３の他方側へ流れる。ここで、この第１の風向板部１４の下面に沿って流れる空気の一部は、ルーバ部１３と第２の風向板部１５との間に流れると共に、第２の風向板部１５の上面に沿って流れる。この流れによって、ルーバ部１３の開口部１８からルーバ部１３と第１の風向板部１４との間に室内の空気が誘引され、結果として、衣類には、送風手段によって、本体ケース１の上部の送風口３から送風される除湿空気と、この空気によって誘引される空気とが送風される。
【００３０】
これにより、衣類に送風される送風量を上げることができ、結論として洗濯後の衣類の乾燥速度をさらに高くすることができる。
【００３１】
また仮に、風向変更手段１２に第２の風向板部１５がない場合には、ルーバ部１３の他方側が、送風口３と所定の距離より近づくと、送風手段によって送風口３へ送風された除湿空気の一部はルーバ部１３の他方側へ当たると共に、ルーバ部１３の一方側へ沿って開口部１８へ流れて、逆流現象が発生する場合がある。結果として衣類に送風される送風量が減少してしまい、洗濯後の衣類の乾燥速度が低下する。また仮に、第１の風向板部１４を第２の風向板部１５の位置まで伸ばし逆流現象を抑えることも考えられるが、第１の風向板部１４を伸ばしすぎると、開口部１８からの誘引風量が減少する。そこで、本実施形態では、第２の風向板部１５を設けたことにより、ルーバ部１３の他方側が、送風口３と所定の距離より近づくと、送風手段によって送風口３へ送風された除湿空気の一部が直接、ルーバ部１３の他方側へ当たることを防ぐことで、除湿空気の開口部への逆流現象を防止することができる。また、送風口３から送風される除湿空気の一部は、第１の風向板部１４の下面に当たると共に、第１の風向板部１４の下面に沿ってルーバ部１３の他方側へ流れる。ここで、この第１の風向板部１４の下面に沿って流れる空気の一部は、ルーバ部１３と第２の風向板部１５との間に流れると共に、第２の風向板部１５の上面に沿って流れることにより、ルーバ部１３の他方側が、送風口３と所定の距離より近づいたときでも、ルーバ部１３の開口部１８からルーバ部１３と第１の風向板部１４との間に室内の空気が誘引される。結果として、衣類には、送風手段によって、本体ケース１の上部の送風口３から送風される除湿空気と、この空気によって誘引される空気とが送風される。これにより、衣類に送風される送風量を上げることができ、結論として洗濯後の衣類の乾燥速度をさらに高くすることができる。
【００３２】
また、第１の距離１４ａは、第２の距離１５ａと第１の距離１４ａとの差より大きいことを特徴とする。すなわち、第１の距離１４ａであるルーバ部１３と第１の風向板部１４との距離が、第２の距離１５ａと第１の距離１４ａとの差である第１の風向板部１４と第２の風向板部１５との距離より大きいものである。これにより、第１の風向板部１４と第２の風向板部１５との間を流れる空気によって、ルーバ部１３と第１の風向板部１４の間の空気を、ルーバ部１３の下面に沿って誘引しやすくなる。
【００３３】
また、ルーバ部１３の一方側から他方側への方向における開口部１８の距離は、第１の距離１４ａより大きいことを特徴とする。すなわち、第１の風向板部１４と第２の風向板部１５との間を流れる空気によって、開口部１８から吸い込んだ空気をルーバ部と第１の風向板部１４との間を介して、誘引するので、ルーバ部１３の一方側から他方側への方向における開口部１８の距離は、第１の距離１４ａより大きいことのより、風路圧損を低減できる。
【００３４】
また、第２の風向板部１５の他方側端部は、ルーバ部１３の他方側端部より一方側に位置することを特徴とする。すなわち、ルーバ部１３の他方側端部は、第２の風向板部１５の他方側端部より他方側に位置する。つまり、ルーバ部１３の先端は、第２の風向板部１５の先端より先端側に出っ張っている。これにより、本体ケース１の上部の送風口３から送風される除湿空気の一部は、第１の風向板部１４の下面に当たると共に、第１の風向板部１４の下面に沿ってルーバ部１３の他方側へ流れる。更に、この除湿空気の一部は、第２の風向板部１５の下面に沿ってルーバ部１３の他方側へ流れる。この除湿空気によって、ルーバ部１３と第２の風向板部１５との間を介して、ルーバ部１３の下面に沿って誘引し易くなる。
【００３５】
また、開口部１８よりもルーバ部１３の一方側に配置される第１の風向板部１４は、ルーバ部１３と同一面上に位置することを特徴とする。すなわち、第１の風向板部１４の下面に沿って流れる空気の一部は、ルーバ部１３と第２の風向板部１５との間に流れると共に、第２の風向板部１５の上面に沿って流れる。この流れによって、ルーバ部１３の開口部１８からルーバ部１３と第１の風向板部１４との間に室内の空気が誘引される。ここで、開口部１８よりもルーバ部１３の一方側に配置される第１の風向板部１４は、ルーバ部１３と同一面上に位置するので、ルーバ部１３の上面に沿って流れる空気が、第１の風向板部１４の上面に沿って流れ、開口部１８へ流れるものである。これにより、ルーバ部１３から第１の風向板部１４を介し、開口部１８へ滑らかに流れ、風路圧損を低減できる。
【００３６】
また、ルーバ部１３は、第１の風向板部１４に対向した第１のルーバ部１３ｃと、第２の風向板部１５に対向した第２のルーバ部１３ｄとからなる。この第２のルーバ部１３ｄと第２の風向板部１５とが一体に形成されると共に、第１の風向板部１４に回動自在に設けられたことを特徴とする。すなわち、一体に形成された第２のルーバ部１３ｄと第２の風向板部１５とを回動させると、風向を変更することが出来る。
【産業上の利用可能性】
【００３７】
本発明は、上部に送風口を有する本体ケースと、この本体ケース内に設けられた除湿手段および送風手段と、前記送風口に設けた風向変更手段とを備え、前記風向変更手段は、一方側を回転中心とし、他方側が上下に回動し、かつ前記一方側と他方側の間に開口部を有する板形状のルーバ部と、前記ルーバ部に一体化されると共に、その一方側が前記ルーバ部の前記開口部と同等、もしくはこの開口部よりも前記ルーバ部の一方側に配置され、他方側が前記ルーバ部の下方において前記開口部よりも前記ルーバ部の他方側に配置された第１の風向板部と、前記ルーバ部に一体化されると共に、その一方側が前記第１の風向板部の他方側と同等、もしくは前記第１の風向板部の他方側よりも前記ルーバ部の他方側に配置され、他方側が前記ルーバ部の他方側に延長された第２の風向板部とを有し、前記ルーバ部と前記第１の風向板部は、第１の距離を持って対向し、前記ルーバ部と前記第２の風向板部は、前記第１の距離よりも大きな第２の距離を持って対向したものであり、洗濯後の衣類の乾燥速度をさらに向上を図ることできるものである。
【００３８】
すなわち、ルーバ部と第１の風向板部は、第１の距離を持って対向し、ルーバ部と第２の風向板部は、第１の距離よりも大きな第２の距離を持って対向した構成にしたことにより、送風手段によって、本体ケースの上部送風口から送風される除湿空気の一部は、第１の風向板部の下面に当たると共に、第１の風向板部の下面に沿ってルーバ部の他方側へ流れる。ここで、この第１の風向板部の下面に沿って流れる空気の一部は、ルーバ部と第２の風向板部との間に流れると共に、第２の風向板部の上面に沿って流れる。この流れによって、ルーバ部の開口部からルーバ部と第１の風向板部との間に室内の空気が誘引され、結果として、衣類には、送風手段によって、本体ケースの上部送風口から送風される除湿空気と、この空気によって誘引される空気とが送風される。
【００３９】
これにより、衣類に送風される送風量を上げることができ、結論として洗濯後の衣類の乾燥速度をさらに高くすることができる。
【００４０】
したがって、各種除湿装置などに広く活用されるものとなる。
【符号の説明】
【００４１】
１    本体ケース
２    吸込口
３    送風口
４    圧縮機
５    凝縮器
６    蒸発器
７    除湿ロータ
８    ファン用モータ
９    ファン
１０    ドレインパン
１１    タンク
１２    風向変更手段
１３    ルーバ部
１３ａ  ルーバ支持部
１３ｂ  ルーバ軸部
１３ｃ  第１のルーバ部
１３ｄ  第２のルーバ部
１４    第１の風向板部
１４ａ  第１の距離
１４ｂ  第１の風向板支持部
１５    第２の風向板部
１５ａ  第２の距離
１５ｂ  第２の風向板支持部
１６    軸受部
１７    ルーバ用モータ
１８    開口部
【図１】
2014144414.tif 000003
【図２】
2014144414.tif 000004
【図３】
2014144414.tif 000005
【図４】
2014144414.tif 000006
【図５】
2014144414.tif 000007